(57)【要約】【課題】  印刷物の有効性を容易に視認できるとともに、不正利用に対して安全性の高い印刷物管理システムを提供する。【解決手段】  管理サーバ１０１は、印刷装置から受信する、ユーザを特定するための個人情報の認証を行い、その個人情報が有効である場合、印刷装置２０１から印刷指示を受信する。その受信した印刷指示に対応する第１印刷内容として、印刷媒体を識別するための識別情報を含む印刷データを生成し、その印刷データを、印刷装置２０１へ送信する。一方、判定装置３０１から識別情報が含まれる印刷媒体の有効性を判定する判定要求を受信し、その判定要求に対する印刷媒体の有効性を判定する。そして、その判定結果に基づいて、第２印刷内容を有する印刷データを、判定装置３０１へ送信する。【選択図】  図１
2005144803.tif 000002
【特許請求の範囲】
【請求項１】
印刷データを生成する管理サーバと、前記印刷データに基づいて印刷物を生成する印刷装置と、前記印刷物の有効性を判定する判定装置とがネットワークを介して相互に接続されて構成され、前記印刷物の不正使用を防止するための印刷物管理システムであって、
前記管理サーバは、
印刷媒体に印刷するための印刷データを生成する生成手段と、
ユーザを特定する個人情報と、前記印刷媒体を識別するための識別情報と、前記印刷データの印刷内容を対応づけて記憶する記憶手段と、
前記個人情報の認証を行う認証手段と、
前記識別情報が含まれる印刷媒体の有効性を判定する判定手段とを備え、
前記印刷装置は、
印刷物の印刷指示を行うユーザの前記個人情報を入力する入力手段と、
前記個人情報の認証要求を前記管理サーバへ送信する第１送信手段と、
前記管理サーバによって前記個人情報が有効であると判定された場合、前記管理サーバから、前記印刷指示に対応する第１印刷内容を有する印刷データを受信する第１受信手段と、
前記第１受信手段で受信した前記第１印刷内容を有する印刷データを印刷媒体に印刷する第１印刷手段とを備え、
前記判定装置は、
前記第１印刷内容を有する印刷データによって印刷媒体に印刷された前記識別情報を読み取る読取手段と、
前記識別情報で特定される印刷媒体の有効性を判定する判定要求を前記管理サーバへ送信する第２送信手段と、
前記管理サーバによって前記印刷媒体が有効であると判定された場合、前記管理サーバから前記第２印刷内容を有する印刷データを受信する第２受信手段と、
前記第２受信手段で受信した前記第２印刷内容を有する印刷データを印刷媒体に印刷する第２印刷手段とを備え、
前記第１印刷内容には、該第１印刷内容を有する印刷データで印刷する印刷物が無効であることを示す情報が含まれ、前記第２印刷内容には、該第２印刷内容を有する印刷データで印刷する印刷物が有効であることを示す情報が含まれている
ことを特徴とする印刷物管理システム。
【請求項２】
前記管理サーバは、前記判定要求に含まれる前記識別情報に基づいて、該識別情報で特定される印刷媒体の有効性を判定する判定手段を更に備え、
前記判定手段による判定済の識別情報と同一の識別情報を含む判定要求が再度ある場合には、前記判定手段は、その判定要求における判定を無効と判定する
ことを特徴とする請求項１に記載の印刷物管理システム。
【請求項３】
前記管理サーバは、前記判定要求に含まれる前記識別情報に基づいて、該識別情報で特定される印刷媒体の有効性を判定する判定手段を更に備え、
前記判定手段による判定済の識別情報と同一の識別情報を含む判定要求が再度ある場合に、その判定要求元が前回と同一の判定装置である場合には、前記判定手段は、その判定要求における判定を有効と判定し、一方、その判定要求元が前回と異なる判定装置である場合には、前記判定手段は、その判定要求における判定を無効と判定する
ことを特徴とする請求項１に記載の印刷物管理システム。
【請求項４】
前記第２印刷内容には、前記印刷媒体の使用目的を示す情報が含まれている
ことを特徴とする請求項１に記載の印刷物管理システム。
【請求項５】
前記生成手段は、前記印刷データを生成する場合に、該印刷データを印刷する印刷媒体の識別情報を生成する
ことを特徴とする請求項１に記載の印刷物管理システム。
【請求項６】
前記識別情報は、前記印刷媒体にあらかじめ付加されており、
前記印刷装置は、前記第１印刷内容を有する印刷データを受信する場合に、前記印刷媒体上から読み取った識別情報を前記管理サーバへ送信する
ことを特徴とする請求項１に記載の印刷物管理システム。
【請求項７】
前記記憶手段は、前記個人情報、前記識別情報及び前記印刷内容に加えて、前記識別情報の有効期限を対応づけて記憶する
ことを特徴とする請求項１に記載の印刷物管理システム。
【請求項８】
前記管理サーバは、前記判定要求に含まれる前記識別情報に基づいて、該識別情報で特定される印刷媒体の有効性を判定する判定手段を更に備え、
前記判定手段は、前記判定要求の取得日時が、その判定要求に含まれる識別情報の有効期限を過ぎている場合、その判定要求における判定を無効と判定する
ことを特徴とする請求項１に記載の印刷物管理システム。
【請求項９】
前記印刷装置は、前記ネットワークを介して複数の前記管理サーバと接続されている
ことを特徴とする請求項１に記載の印刷物管理システム。
【請求項１０】
前記印刷装置は、複数種類の定型文書の印刷指示を行うための操作画面を表示する表示手段を更に備える
ことを特徴とする請求項１に記載の印刷物管理システム。
【請求項１１】
前記印刷装置は、印刷指示に対応する前記第１印刷内容を有する印刷データの印刷に係る印刷料金を徴収する徴収手段を更に備える
ことを特徴とする請求項１に記載の印刷物管理システム。
【請求項１２】
印刷データに基づいて印刷物を生成する印刷装置と、前記印刷物の有効性を判定する判定装置とがネットワークを介して相互に接続されて構成され、前記印刷物の不正使用の防止を支援するための印刷物管理装置であって、
ユーザを特定する個人情報と、前記印刷媒体を識別するための識別情報と、前記印刷データの印刷内容を対応づけて記憶する記憶手段と、
前記印刷装置から受信する前記個人情報の認証を行う認証手段と、
前記個人情報が有効である場合、前記印刷装置から印刷指示を受信する第１受信手段と、
前記第１受信手段で受信した印刷指示に対応する第１印刷内容として、前記識別情報を含む印刷データを生成する第１生成手段と、
前記第１生成手段で生成した印刷データを、前記印刷装置へ送信する第１送信手段と、
前記判定装置から前記識別情報が含まれる印刷媒体の有効性を判定する判定要求を受信する第２受信手段と、
前記判定要求に対する前記印刷媒体の有効性を判定する判定手段と、
前記判定手段の判定結果に基づいて、第２印刷内容を有する印刷データを、前記判定装置へ送信する第２送信手段と
を備えることを特徴とする印刷物管理装置。
【請求項１３】
印刷データに基づいて印刷物を生成する印刷装置と、前記印刷物の有効性を判定する判定装置とがネットワークを介して相互に接続されて構成され、前記印刷物の不正使用の防止を支援するための印刷物管理装置の制御方法であって、
前記印刷装置から受信する、ユーザを特定するための個人情報の認証を行う認証工程と、
前記個人情報が有効である場合、前記印刷装置から印刷指示を受信する第１受信工程と、
前記第１受信工程で受信した印刷指示に対応する第１印刷内容として、印刷媒体を識別するための識別情報を含む印刷データを生成する第１生成工程と、
前記第１生成工程で生成した印刷データを、前記印刷装置へ送信する第１送信工程と、
前記判定装置から前記識別情報が含まれる印刷媒体の有効性を判定する判定要求を受信する第２受信工程と、
前記判定要求に対する前記印刷媒体の有効性を判定する判定工程と、
前記判定工程の判定結果に基づいて、第２印刷内容を有する印刷データを、前記判定装置へ送信する第２送信工程と
を備えることを特徴とする印刷物管理装置の制御方法。
【請求項１４】
印刷データに基づいて印刷物を生成する印刷装置と、前記印刷物の有効性を判定する判定装置とがネットワークを介して相互に接続されて構成され、前記印刷物の不正使用の防止を支援するための印刷物管理装置の制御を実現するプログラムであって、
前記印刷装置から受信する、ユーザを特定するための個人情報の認証を行う認証工程のプログラムコードと、
前記個人情報が有効である場合、前記印刷装置から印刷指示を受信する第１受信工程のプログラムコードと、
前記第１受信工程で受信した印刷指示に対応する第１印刷内容として、印刷媒体を識別するための識別情報を含む印刷データを生成する第１生成工程のプログラムコードと、
前記第１生成工程で生成した印刷データを、前記印刷装置へ送信する第１送信工程のプログラムコードと、
前記判定装置から前記識別情報が含まれる印刷媒体の有効性を判定する判定要求を受信する第２受信工程のプログラムコードと、
前記判定要求に対する前記印刷媒体の有効性を判定する判定工程のプログラムコードと、
前記判定工程の判定結果に基づいて、第２印刷内容を有する印刷データを、前記判定装置へ送信する第２送信工程のプログラムコードと
を備えることを特徴とするプログラム。
【発明の詳細な説明】
【技術分野】
【０００１】
本発明は、印刷データを生成する管理サーバと、前記印刷データに基づいて印刷物を生成する印刷装置と、前記印刷物の有効性を判定する判定装置とがネットワークを介して相互に接続されて構成され、前記印刷物の不正使用を防止するための印刷物管理システム、その印刷物管理システムにおける印刷物管理装置及びその制御方法、プログラムに関するものである。
【背景技術】
【０００２】
従来、公的機関から証明書、例えば、住民票や戸籍謄本等の印刷物の発行を受ける場合、発行を受ける人、又はその代理人は運転免許証やパスポート等で身分証明を行って、その印刷物を受け取っている。また、印刷物に発行元の印鑑が押されていることによって、その印刷物は発行元が承認したものであり、有効であると判断されている。
【０００３】
一方、インターネットの普及により、公的機関に出向かずに証明書を取得できる可能性があり、この場合、駅などの公共の場や発行元ではない公共機関、自宅や職場など、発行元が管理できない場所での印刷が想定される。そのため、発行元の印鑑が押されず、その証明書が有効である無効であるかの判断が行えない可能性がある。
【０００４】
この課題については、例えば、特許文献１に開示されたように、印刷媒体へ印刷する内容（以下、コンテンツ）を印刷媒体に印刷する時に、印刷物発行サーバ上の情報管理システムに印刷媒体にあらかじめ付加された識別情報とコンテンツを関連付けて記録しておく。そして、印刷済みの印刷媒体を使用するときに、印刷媒体の識別情報を読み取り、識別情報を情報管理システムに問い合わせて、有効／無効を判定することで、不正に作成された印刷物の使用を防止できる技術が知られている。
【０００５】
また、従来より、印刷媒体への識別情報の付加は、印刷媒体の表面にバーコードを印刷したり、印刷媒体に貼り付けられた、もしくは織り込まれたＩＣチップに記憶させたりすることで行っている。
【特許文献１】特開平１１−７８１７６号公報
【発明の開示】
【発明が解決しようとする課題】
【０００６】
しかしながら、上述した従来技術では、印刷媒体の表面上に視認できる表示が行われないため、判定装置を用いて、印刷媒体上の識別情報を読み取り、有効／無効の判定を行わなければ、判定ができなかった。そのため、意図的であるなしにかかわらず、判定装置を利用しない場合、証明書は無効であっても有効と判断される危険性があった。
【０００７】
また、その印刷媒体が有効なものであれば、何度でも有効と判断されてしまうため、その印刷媒体が第３者に渡ると、第３者に不正利用される可能性があった。
【０００８】
本発明は上記の課題を解決するためになされたものであり、印刷物の有効性を容易に視認できるとともに、不正利用に対して安全性の高い印刷物管理システム、印刷物管理装置及びその制御方法、プログラムを提供することを目的とする。
【課題を解決するための手段】
【０００９】
上記の目的を達成するための本発明による印刷物管理システムは以下の構成を備える。即ち、
印刷データを生成する管理サーバと、前記印刷データに基づいて印刷物を生成する印刷装置と、前記印刷物の有効性を判定する判定装置とがネットワークを介して相互に接続されて構成され、前記印刷物の不正使用を防止するための印刷物管理システムであって、
前記管理サーバは、
印刷媒体に印刷するための印刷データを生成する生成手段と、
ユーザを特定する個人情報と、前記印刷媒体を識別するための識別情報と、前記印刷データの印刷内容を対応づけて記憶する記憶手段と、
前記個人情報の認証を行う認証手段と、
前記識別情報が含まれる印刷媒体の有効性を判定する判定手段とを備え、
前記印刷装置は、
印刷物の印刷指示を行うユーザの前記個人情報を入力する入力手段と、
前記個人情報の認証要求を前記管理サーバへ送信する第１送信手段と、
前記管理サーバによって前記個人情報が有効であると判定された場合、前記管理サーバから、前記印刷指示に対応する第１印刷内容を有する印刷データを受信する第１受信手段と、
前記第１受信手段で受信した前記第１印刷内容を有する印刷データを印刷媒体に印刷する第１印刷手段とを備え、
前記判定装置は、
前記第１印刷内容を有する印刷データによって印刷媒体に印刷された前記識別情報を読み取る読取手段と、
前記識別情報で特定される印刷媒体の有効性を判定する判定要求を前記管理サーバへ送信する第２送信手段と、
前記管理サーバによって前記印刷媒体が有効であると判定された場合、前記管理サーバから前記第２印刷内容を有する印刷データを受信する第２受信手段と、
前記第２受信手段で受信した前記第２印刷内容を有する印刷データを印刷媒体に印刷する第２印刷手段とを備え、
前記第１印刷内容には、該第１印刷内容を有する印刷データで印刷する印刷物が無効であることを示す情報が含まれ、前記第２印刷内容には、該第２印刷内容を有する印刷データで印刷する印刷物が有効であることを示す情報が含まれている。
【００１０】
また、好ましくは、前記管理サーバは、前記判定要求に含まれる前記識別情報に基づいて、該識別情報で特定される印刷媒体の有効性を判定する判定手段を更に備え、
前記判定手段による判定済の識別情報と同一の識別情報を含む判定要求が再度ある場合には、前記判定手段は、その判定要求における判定を無効と判定する。
【００１１】
また、好ましくは、前記管理サーバは、前記判定要求に含まれる前記識別情報に基づいて、該識別情報で特定される印刷媒体の有効性を判定する判定手段を更に備え、
前記判定手段による判定済の識別情報と同一の識別情報を含む判定要求が再度ある場合に、その判定要求元が前回と同一の判定装置である場合には、前記判定手段は、その判定要求における判定を有効と判定し、一方、その判定要求元が前回と異なる判定装置である場合には、前記判定手段は、その判定要求における判定を無効と判定する。
【００１２】
また、好ましくは、前記第２印刷内容には、前記印刷媒体の使用目的を示す情報が含まれている。
【００１３】
また、好ましくは、前記生成手段は、前記印刷データを生成する場合に、該印刷データを印刷する印刷媒体の識別情報を生成する。
【００１４】
また、好ましくは、前記識別情報は、前記印刷媒体にあらかじめ付加されており、
前記印刷装置は、前記第１印刷内容を有する印刷データを受信する場合に、前記印刷媒体上から読み取った識別情報を前記管理サーバへ送信する。
【００１５】
また、好ましくは、前記記憶手段は、前記個人情報、前記識別情報及び前記印刷内容に加えて、前記識別情報の有効期限を対応づけて記憶する。
【００１６】
また、好ましくは、前記管理サーバは、前記判定要求に含まれる前記識別情報に基づいて、該識別情報で特定される印刷媒体の有効性を判定する判定手段を更に備え、
前記判定手段は、前記判定要求の取得日時が、その判定要求に含まれる識別情報の有効期限を過ぎている場合、その判定要求における判定を無効と判定する。
【００１７】
また、好ましくは、前記印刷装置は、前記ネットワークを介して複数の前記管理サーバと接続されている。
【００１８】
また、好ましくは、前記印刷装置は、複数種類の定型文書の印刷指示を行うための操作画面を表示する表示手段を更に備える。
【００１９】
また、好ましくは、前記印刷装置は、印刷指示に対応する前記第１印刷内容を有する印刷データの印刷に係る印刷料金を徴収する徴収手段を更に備える。
【００２０】
上記の目的を達成するための本発明による印刷物管理装置は以下の構成を備える。即ち、
印刷データに基づいて印刷物を生成する印刷装置と、前記印刷物の有効性を判定する判定装置とがネットワークを介して相互に接続されて構成され、前記印刷物の不正使用の防止を支援するための印刷物管理装置であって、
ユーザを特定する個人情報と、前記印刷媒体を識別するための識別情報と、前記印刷データの印刷内容を対応づけて記憶する記憶手段と、
前記印刷装置から受信する前記個人情報の認証を行う認証手段と、
前記個人情報が有効である場合、前記印刷装置から印刷指示を受信する第１受信手段と、
前記第１受信手段で受信した印刷指示に対応する第１印刷内容として、前記識別情報を含む印刷データを生成する第１生成手段と、
前記第１生成手段で生成した印刷データを、前記印刷装置へ送信する第１送信手段と、
前記判定装置から前記識別情報が含まれる印刷媒体の有効性を判定する判定要求を受信する第２受信手段と、
前記判定要求に対する前記印刷媒体の有効性を判定する判定手段と、
前記判定手段の判定結果に基づいて、第２印刷内容を有する印刷データを、前記判定装置へ送信する第２送信手段と
を備える。
【００２１】
上記の目的を達成するための本発明による印刷物管理装置の制御方法は以下の構成を備える。即ち、
印刷データに基づいて印刷物を生成する印刷装置と、前記印刷物の有効性を判定する判定装置とがネットワークを介して相互に接続されて構成され、前記印刷物の不正使用の防止を支援するための印刷物管理装置の制御方法であって、
前記印刷装置から受信する、ユーザを特定するための個人情報の認証を行う認証工程と、
前記個人情報が有効である場合、前記印刷装置から印刷指示を受信する第１受信工程と、
前記第１受信工程で受信した印刷指示に対応する第１印刷内容として、印刷媒体を識別するための識別情報を含む印刷データを生成する第１生成工程と、
前記第１生成工程で生成した印刷データを、前記印刷装置へ送信する第１送信工程と、
前記判定装置から前記識別情報が含まれる印刷媒体の有効性を判定する判定要求を受信する第２受信工程と、
前記判定要求に対する前記印刷媒体の有効性を判定する判定工程と、
前記判定工程の判定結果に基づいて、第２印刷内容を有する印刷データを、前記判定装置へ送信する第２送信工程と
を備える。
【００２２】
上記の目的を達成するための本発明によるプログラムは以下の構成を備える。即ち、
印刷データに基づいて印刷物を生成する印刷装置と、前記印刷物の有効性を判定する判定装置とがネットワークを介して相互に接続されて構成され、前記印刷物の不正使用の防止を支援するための印刷物管理装置の制御を実現するプログラムであって、
前記印刷装置から受信する、ユーザを特定するための個人情報の認証を行う認証工程のプログラムコードと、
前記個人情報が有効である場合、前記印刷装置から印刷指示を受信する第１受信工程のプログラムコードと、
前記第１受信工程で受信した印刷指示に対応する第１印刷内容として、印刷媒体を識別するための識別情報を含む印刷データを生成する第１生成工程のプログラムコードと、
前記第１生成工程で生成した印刷データを、前記印刷装置へ送信する第１送信工程のプログラムコードと、
前記判定装置から前記識別情報が含まれる印刷媒体の有効性を判定する判定要求を受信する第２受信工程のプログラムコードと、
前記判定要求に対する前記印刷媒体の有効性を判定する判定工程のプログラムコードと、
前記判定工程の判定結果に基づいて、第２印刷内容を有する印刷データを、前記判定装置へ送信する第２送信工程のプログラムコードと
を備える。
【発明の効果】
【００２３】
本発明によれば、印刷物の有効性を容易に視認できるとともに、不正利用に対して安全性の高い印刷物管理システム、印刷物管理装置及びその制御方法、プログラムを提供できる。
【発明を実施するための最良の形態】
【００２４】
以下、本発明の実施の形態について図面を用いて詳細に説明する。
【００２５】
＜＜実施形態１＞＞
図１は本発明の実施形態１の印刷物管理システムの構成を示すブロック図である。
【００２６】
本印刷管理システムは、管理サーバ１０１、印刷装置２０１、判定装置３０１から構成される。
【００２７】
管理サーバ１０１は、認証部１０２、個人ＩＤ記憶部１０３、印刷内容生成部１０４、印刷内容記憶部１０５、発行記憶部１０６、インターフェイス部１０７、管理制御部１０８とを備えており、個人ＩＤの認証、印刷媒体の認証、印刷内容（以下、コンテンツ）の発行等の処理を行う。
【００２８】
認証部１０２は、管理制御部１０８から個人ＩＤ情報を受信し、個人ＩＤ記憶部１０３に受信した個人ＩＤ情報が存在するか否かを判定し、その判定結果を管理制御部１０８に返信する。個人ＩＤ記憶部１０３には、本システムで有効と判断する、各ユーザを特定する個人ＩＤ情報があらかじめ格納されている。
【００２９】
印刷内容生成部１０４は、管理制御部１０８から指示されたコンテンツを、印刷内容記憶部１０５に記憶されている情報を基に印刷装置２０１や判定装置３０１が印刷できる形式で生成し、管理制御部１０８に転送する。印刷内容記憶部１０５には、印刷媒体に印刷する１つ、又は複数のコンテンツ、もしくはコンテンツの情報（例えば、印刷料金情報）、ＷａｔｅｒＭａｒｋ情報等があらかじめ記憶されている。また、コンテンツは、その印刷データの生成を効率的に行うために、各コンテンツ毎に印刷内容テンプレートの形態であっても良い。
【００３０】
発行記憶部１０６は、図２で示すような、管理テーブル４０１とコンテンツ格納領域４１０から構成される。管理テーブル４０１は、コンテンツを印刷した印刷媒体を特定する媒体ＩＤ４０２と、印刷したコンテンツの有効期限４０３と、認証された個人ＩＤ４０４と後述する印刷媒体の判定がはじめて行われた判定装置を示す判定装置ＩＤ４０５と、生成されたコンテンツの格納先アドレス４０６を関連付けて記憶している。
【００３１】
そして、管理テーブル４０１の各レコードは管理制御部１０８からの指示により追加、削除、更新される。
【００３２】
コンテンツ格納領域４１０は、印刷内容生成部１０４で生成されたコンテンツを格納する領域である。格納されるコンテンツは、管理制御部１０８からの指示により追加、削除、更新される。
【００３３】
インターフェイス部１０７は、印刷装置２０１や判定装置３０１と通信するためのインターフェイスであり、後述のように印刷装置２０１や判定装置３０１へコンテンツをネットワークを介して送信したり、判定要求をネットワークを介して受信したりする。
【００３４】
管理制御部１０８は、ＣＰＵ、ＲＯＭ、ＲＡＭ等を有し、ＣＰＵがＲＯＭ又はその他の記憶媒体に格納されたプログラムを実行することにより管理サーバ１０１全体を統括制御する。
【００３５】
管理制御部１０８は、インターフェイス部１０７を通して印刷装置２０１からコンテンツの料金情報要求を受信すると、管理制御部１０８は印刷内容記憶部１０５のコンテンツの情報の中から要求されたコンテンツの料金情報を抽出し、その料金情報をインターフェイス部１０７を通して印刷装置２０１に送信する。
【００３６】
また、インターフェイス部１０７を通して印刷装置２０１から個人ＩＤを含む認証要求を受信すると、管理制御部１０８は個人ＩＤを認証部１０２へ送信し、認証部１０２での認証結果を受信して、インターフェイス部１０７を通して印刷装置２０１に認証結果を送信する。
【００３７】
また、インターフェイス部１０７を通して印刷装置２０１からコンテンツ獲得要求を受信すると、管理制御部１０８は印刷内容生成部１０４にコンテンツを生成させ、発行記憶部１０６に保存する情報を与えて、インターフェイス部１０７を通して印刷装置２０１にコンテンツの印刷データを送信する。
【００３８】
また、インターフェイス部１０７を通して印刷装置２０１から媒体ＩＤを含む判定要求を受信すると、管理制御部１０８は発行記憶部１０６の中から媒体ＩＤが等しいコンテンツを検索し、そのコンテンツの有効性の判定を行い、その判定結果をインターフェイス部１０７を通して印刷装置２０１に送信する。
【００３９】
また、インターフェイス部１０７を通して印刷装置２０１から判定済コンテンツのコンテンツ獲得要求を受信すると、管理制御部１０８はその媒体ＩＤが有効である場合に、発行記憶部１０６の中から媒体ＩＤが等しいコンテンツを検索し、発行記憶部１０６からコンテンツを取得して、そのコンテンツをインターフェイス部１０７を通して印刷装置２０１に送信する。
【００４０】
尚、判定済コンテンツを送信した場合、次回からのそのコンテンツの判定は無効となる。
【００４１】
印刷装置２０１は、操作部２０２、プリンタ部２０３、インターフェイス部２０４、リーダ部２０５、ＩＣカードリーダ２０６、料金徴収機２０７、印刷装置制御部２０８から構成され、管理サーバ１０１からコンテンツを取得し、取得したコンテンツの印刷等の処理を行う。
【００４２】
操作部２０２は、例えば、液晶表示部、テンキー、操作ボタン、スイッチ等から構成されるユーザインターフェイスであり、操作手順を表示したり、ユーザが印刷するコンテンツの選択や印刷開始の指示等を行うために使用される。
【００４３】
プリンタ部２０３は、印刷装置制御部２０８からの画像データに応じた画像を印刷媒体上に記録する。
【００４４】
インターフェイス部２０４は、管理サーバ１０１と印刷装置制御部２０８とのインターフェイスであり、管理サーバ１０１から送信されたコンテンツを印刷装置制御部２０８に送信する。また、印刷装置制御部２０８からの指示により、管理サーバ１０１に対して、画像データや制御コードを送信する。
【００４５】
リーダ部２０５は、画像を読み取り、印刷装置制御部２０８へ出力する。
【００４６】
ＩＣカードリーダ部２０５は、カードや印刷媒体に埋め込まれたＩＣチップの情報を読み出して、印刷装置制御部２０８に出力する。
【００４７】
料金徴収機２０７は、投入されたコインを計数し、合計額を印刷装置制御部２０８に通知する。ここでは、コインが投入される料金徴収機を例に挙げているが、もちろん、お札が投入できるものでも、クレジットカードやデビットカード、プリペイドカードから料金を徴収する構成であってもよい。
【００４８】
印刷装置制御部２０８は、ＣＰＵ、ＲＯＭ、ＲＡＭ等を有し、ＣＰＵがＲＯＭ又はその他の記憶媒体に格納されたプログラムを実行することにより印刷装置２０１全体を統括制御する。
【００４９】
判定装置３０１は、操作部３０２、プリンタ部３０３、インターフェイス部３０４、リーダ部３０５、判定装置制御部３０６から構成され、印刷媒体上の識別コード（媒体ＩＤ）を読みとり、読み取った識別コードの有効性を管理サーバ１０１に問い合わせたる。また、管理サーバ１０１からコンテンツを取得し、取得したコンテンツの印刷を行う。
【００５０】
操作部３０２は、例えば、液晶表示部、テンキー、操作ボタン、スイッチ等から構成されるユーザインターフェイスであり、操作手順を表示する。また、ユーザが識別コードの有効無効判定の開始指示等を行うために使用される。
【００５１】
プリンタ部３０３は、判定装置制御部３０６からの画像データに応じた画像を印刷媒体上に記録する。
【００５２】
インターフェイス部３０４は、管理サーバ１０１と判定装置制御部３０６とのインターフェイスであり、判定装置制御部３０６の指示により、管理サーバ１０１に対して画像データや制御コードを送信する。また、管理サーバ１０１から送信されたコンテンツを判定装置制御部３０６に送信する。
【００５３】
リーダ部３０５は、画像を読み取り、判定装置制御部３０６へ出力する。
【００５４】
判定装置制御部３０６は、ＣＰＵ、ＲＯＭ、ＲＡＭ等を有し、ＣＰＵがＲＯＭ又はその他の記憶媒体に格納されたプログラムを実行することにより判定装置３０１全体を統括制御する。
【００５５】
尚、プリンタ部２０３や３０３の印刷方式としては、例えば、レーザビーム方式を採用しているとするが、これ以外のインクジェット方式、熱転写方式等の各種印刷方式を採用することも可能である。
【００５６】
また、管理サーバ１０１、印刷装置２０１、判定装置３０１を相互に接続するネットワークは、典型的にはインターネットやＬＡＮやＷＡＮや電話回線、専用デジタル回線、ＡＴＭやフレームリレー回線、通信衛星回線、ケーブルテレビ回線、データ放送用無線回線等のいずれか、またはこれらの組み合わせにより実現されるいわゆる通信ネットワークであり、データの送受信が可能であれば良い。
【００５７】
更に、管理サーバ１０１は、汎用コンピュータに搭載される標準的な構成要素（例えば、ＣＰＵ、ＲＡＭ、ＲＯＭ、ハードディスク、外部記憶装置、ネットワークインタフェース、ディスプレイ、キーボード、マウス等）を有し、これらの構成要素によって、上記の各機能を実現する。
【００５８】
次に、印刷装置２０１が実行するコンテンツ印刷処理手順の一例について、図３を用いて説明する。
【００５９】
図３は本発明の実施形態１の印刷装置が実行するコンテンツ印刷処理手順の一例を示すフローチャートである。
【００６０】
まず、ステップＳ５０１で、印刷対象のコンテンツを選択するためのコンテンツ選択画面を操作部２０２に表示する。
【００６１】
ここで、コンテンツ選択画面について、図４を用いて説明する。
【００６２】
図４は本発明の実施形態１のコンテンツ選択画面の一例を示す図である。
【００６３】
図４において、６０１、６０２はコンテンツ選択ボタンであり、押下されるたびにＯＮとＯＦＦが交互に設定される。特に、コンテンツ選択ボタン６０１は、住民票を印刷するためのボタンであり、コンテンツ選択ボタン６０２は、印鑑証明書を印刷するためのボタンである。尚、図４のコンテンツ選択画面は一例であり、住民票や印鑑証明書以外の様々な定型文書（例えば、戸籍謄本、車庫証明書、車検証等）を選択することが可能なコンテンツ選択ボタンを構成しても良いことは言うまでもない。
【００６４】
６０３は、コンテンツ選択ボタン６０１及び６０２のどちらかのボタンがＯＮの状態で、そのコンテンツの指定を確定するボタンであり、このボタンを押下すると、ステップＳ５０２に移行する。
【００６５】
ステップＳ５０２で、管理サーバ１０１に、ステップＳ５０１で選択されたコンテンツを印刷するために必要な印刷料金を問い合わせるための料金情報要求を送信する。管理サーバ１０１は、料金情報要求に対応する印刷料金を計算し、その印刷料金を示す料金情報を印刷装置２０１へ送信する。
【００６６】
印刷装置２０１は、この料金情報を受信すると、その料金情報に基づいて、印刷料金の投入を促す画面７０１（図５）を操作部２０２に表示する。その後、料金徴収機２０７に必要な金額以上のお金が投入された場合に、ステップＳ５０３に移行する。
【００６７】
ステップＳ５０３で、個人認証のために、ユーザが所有するＩＤカードのＩＣカードリーダ２０６への挿入を促す画面８０１（図６）を操作部２０２に表示する。ＩＣカードリーダ２０６にＩＤカードが入力された場合、ＩＤカード内の情報から個人ＩＤを読み取り、ステップＳ５０４に移行する。
【００６８】
ステップＳ５０４で、読み取った個人ＩＤが、本システムで有効であるか無効であるかを管理サーバ１０１に問い合わせるために、その個人ＩＤ情報を管理サーバ１０１へ送信する。そして、管理サーバ１０１は、この個人ＩＤ情報に対する認証を認証部１０２で実行し、その認証結果を印刷装置２０１へ送信する。印刷装置２０１は、受信した認証結果が有効である場合、ステップＳ５０５に移行する。一方、無効である場合は、その旨を操作部２０２に表示する。
【００６９】
ステップＳ５０５で、ステップＳ５０１で選択されたコンテンツの印刷データを管理サーバ１０１から取得するためのコンテンツ取得要求を管理サーバ１０１へ送信する。
【００７０】
管理サーバ１０１は、コンテンツ取得要求を受信すると、それに対応するコンテンツの印刷データを生成するとともに、そのコンテンツを印刷する印刷媒体の媒体ＩＤ、その印刷媒体の有効期限を生成し、これらの情報を先に受信している個人ＩＤと印刷対象のコンテンツの格納先アドレスと対応づけて管理テーブル４０１に記憶する。また、この時点では、そのコンテンツを印刷する印刷媒体の有効性の判定は実行されていないので、管理テーブル４０１の判定装置ＩＤ欄は空欄となっている。そのため、管理サーバ１０１が生成する印刷データには、判定装置３０１による判定が未判定であることを示す情報がＷａｔｅｒＭａｒｋ情報として埋め込まれる。
【００７１】
その後、管理サーバ１０１は、生成したコンテンツの印刷データを印刷装置２０１へ送信する。これにより、印刷装置２０１は、コンテンツ獲得要求に対応するコンテンツを管理サーバ１０１より取得する。
【００７２】
ステップＳ５０６で、取得したコンテンツの印刷データをプリンタ部２０３で印刷する。
【００７３】
ここで、印刷装置２０１で印刷されたコンテンツの一例について、図７を用いて説明する。
【００７４】
図７は本発明の実施形態１のコンテンツの一例を示す図である。
【００７５】
特に、図７の例は、住民票を印刷するためのコンテンツ選択ボタン６０１が選択された場合に、印刷される住民票の一例を示している。
【００７６】
図７において、９０１は住民票の記載事項である。９０２は管理サーバ１０１で割り当てられたこの印刷媒体の媒体ＩＤである。特に、図７では、この媒体ＩＤが、バーコードで印刷されている例を示している。もちろん、この媒体ＩＤは、判定装置３０１で読み取りか能な形態であれば、バーコード以外に、２次元バーコード、ＷａｔｅｒＭａｒｋ情報で表現されても良い。
【００７７】
９０３は判定装置３０１による判定が実行されていない場合に印刷されるＷａｔｅｒＭａｒｋ情報である。特に、このＷａｔｅｒＭａｒｋ情報９０３が印刷されている場合、この印刷媒体は有効ではないという意味で使用されており、その有効性の判定後に印刷されるコンテンツでは消えることとなる。
【００７８】
９０４はこの印刷媒体の有効期限である。
【００７９】
次に、判定装置３０１が実行するコンテンツ判定処理手順の一例について、図８を用いて説明する。
【００８０】
図８は本発明の実施形態１の判定装置が実行するコンテンツ判定処理手順の一例を示すフローチャートである。
【００８１】
まず、ステップＳ１００１で、判定対象のコンテンツを選択するための判定コンテンツ選択画面を操作部３０２に表示する。
【００８２】
ここで、判定コンテンツ選択画面について、図９を用いて説明する。
【００８３】
図９は本発明の実施形態１の判定コンテンツ選択画面の一例を示す図である。
【００８４】
図９において、１１０１、１１０２はコンテンツ選択ボタンであり、押下されるたびにＯＮとＯＦＦが交互に設定される。特に、コンテンツ選択ボタン１１０１は、住民票を判定対象とするためのボタンであり、コンテンツ選択ボタン１１０２は、印鑑証明書を判定対象とするためのボタンである。
【００８５】
１１０３は、コンテンツ選択ボタン１１０１及び１１０２のどちらかのボタンがＯＮの状態で、そのコンテンツの指定を確定するボタンであり、このボタンを押下するとステップＳ１００２に移行する。
【００８６】
ステップＳ１００２で、操作部３０２に媒体ＩＤのバーコードが印刷された印刷媒体をリーダ部３０５に置くように促す画面１２０１（図１０）を表示し、操作部３０２にあるスタートボタン（不図示）が押下されると、印刷媒体上のバーコードを読み取り、ステップＳ１００３に移行する。
【００８７】
ステップＳ１００３で、ステップＳ１００２で読み取ったバーコードから得られる識別コード（媒体ＩＤ）と判定装置３０１の判定装置ＩＤ及び識別コードの取得日時情報を含む、その識別コード（つまり、識別コードで特定されるコンテンツ）の有効性の判定要求を、管理サーバ１０１に送信する。管理サーバ１０１は、識別コードで特定されるコンテンツの有効性を判定し、その判定結果を判定装置３０１へ送信する。判定装置３０１は、管理サーバ１０１より判定結果を受信し、ステップＳ１００４に移行する。
【００８８】
尚、管理サーバ１０１は、判定要求を判定装置３０１から受信すると、管理テーブル４０１を参照して、その判定要求に含まれる識別コードが管理テーブル４０１に存在するか否かを判定する。識別コードが存在する場合、その識別コードを含むレコードの判定装置ＩＤ欄に、判定装置ＩＤが存在するか否かを判定する。判定装置ＩＤが存在しない場合、その判定要求に含まれる判定装置ＩＤを記憶するとともに、判定結果として、判定対象のコンテンツが有効であると判定する。そして、判定対象のコンテンツが有効である場合には、管理サーバ１０１は、その旨を示す情報がＷａｔｅｒＭａｒｋ情報として埋め込まれている印刷データを生成する。
【００８９】
その後、管理サーバ１０１は、生成したコンテンツの印刷データを判定装置３０１へ送信する。これにより、判定装置３０１は、判定要求に対し、その判定結果が有効である場合に、管理サーバ１０１から判定済コンテンツの印刷データを取得することができる。
【００９０】
一方、判定装置ＩＤ欄に、判定装置ＩＤが存在する場合、既に、判定対象のコンテンツが既に判定済であるとして、判定対象のコンテンツが無効であると判定する。この場合、管理サーバ１０１は、コンテンツの印刷データを印刷しないで、判定結果として、判定対象のコンテンツが無効である旨を示す情報を判定装置３０１へ送信する。これにより、判定装置３０１の操作部３０２に、判定が無効であることを提示することができる。
【００９１】
また、判定要求に含まれる識別コードが管理テーブル４０１に存在しない場合も、判定対象のコンテンツが無効であると判定して、その判定結果として、判定対象のコンテンツが無効である旨を示す情報を判定装置３０１へ送信する。更に、判定要求に含まれる識別コードが管理テーブル４０１に存在しても、その識別コードの取得日時が有効期限を過ぎている場合は、判定対象のコンテンツが無効であると判定して、その判定結果として、判定対象のコンテンツが無効である旨を示す情報を判定装置３０１へ送信する。
【００９２】
ステップＳ１００４で、判定結果によって、判定対象のコンテンツが有効である場合、管理サーバ１０１からコンテンツの印刷データを取得し、ステップＳ１００５に移行する。
【００９３】
ステップＳ１００５で、ステップＳ１００４で取得したコンテンツの印刷データをプリンタ部３０３で印刷する。
【００９４】
ここで、判定装置３０１で印刷されたコンテンツの一例について、図１１を用いて説明する。
【００９５】
図１１は本発明の実施形態１のコンテンツの一例を示す図である。
【００９６】
特に、図１１の例は、管理サーバ１０１による判定後に印刷される住民票の一例を示している。
【００９７】
図１１において、１３０１は住民票の記載事項である。１３０２は、この住民票を使用することが有効な有効機関、または有効な判定装置を示すＷａｔｅｒＭａｒｋ情報である。この場合、印刷媒体の媒体ＩＤである識別コードは印刷されない。
【００９８】
ここで、判定前のコンテンツを印刷した印刷媒体上には、図７に示したように、「未判定」（無効）を示すＷａｔｅｒＭａｒｋ表示が行われるので、判定装置３０１を用いない場合は無効であると視認できるようになる。
【００９９】
また、判定装置３０１で印刷されたコンテンツでは、「有効機関や判定装置」を示すＷａｔｅｒＭａｒｋ情報が印刷されるので、第３者が不正使用しにくい印刷物となる。また、実施形態１では、有効期限が印刷され、２回目以降の判定では必ず無効となるので、より第３者が不正利用しにくい印刷物を作成することができる。
【０１００】
以上説明したように、実施形態１によれば、印刷媒体に記録したコンテンツを管理サーバ１０１上で管理しておき、そのコンテンツが印刷された印刷物を公的機関等の機関で利用する場合には、その印刷物の有効性を判定する専用の判定装置３０１の判定を行った上で、有効な印刷物のみを再度印刷してそれをユーザに利用させるように構成しているので、印刷物の不正利用を防止することができる。
【０１０１】
＜＜実施形態２＞＞
実施形態１では、管理サーバ１０１が、印刷装置２０１からのコンテンツ取得要求時に、そのコンテンツを印刷装置２０１で印刷する場合の印刷媒体の媒体ＩＤを生成し、その媒体ＩＤを管理サーバ１０１で管理する構成としている。そして、この媒体ＩＤを管理サーバ１０１で管理しておくことで、その後、判定装置３０１によりその媒体ＩＤを含む判定要求を受信した際に、その媒体ＩＤで特定される印刷物の有効性を判定する構成としていた。
【０１０２】
これに対し、実施形態２では、予め媒体ＩＤが印刷媒体に付与されている印刷媒体を使用して印刷装置２０１で印刷する構成について説明する。このような構成の場合、管理サーバ１０１では、印刷媒体の媒体ＩＤを生成する必要がなくなる一方で、媒体ＩＤで特定される印刷物の有効性を判定するために、印刷装置２０１より媒体ＩＤを受信する必要がある。
【０１０３】
そこで、実施形態２では、管理サーバ１０１は、印刷装置２０１からのコンテンツ取得要求時に、そのコンテンツを印刷する印刷媒体の媒体ＩＤを印刷装置２０１からインターフェイス部１０７を通して受信する。そして、その受信した媒体ＩＤを、発行記憶部１０６に送信し、管理テーブル４０１で管理することになる。
【０１０４】
以下、実施形態２の印刷装置２０１が実行するコンテンツ印刷処理手順の一例について、図１２を用いて説明する。
【０１０５】
図１２は本発明の実施形態２の印刷装置が実行するコンテンツ印刷処理手順の一例を示すフローチャートである。
【０１０６】
まず、ステップＳ１４０１で、コンテンツ選択画面（図４）を操作部２０２に表示する。
【０１０７】
ステップＳ１４０２で、管理サーバ１０１に、管理サーバ１０１に、ステップＳ１４０１で選択されたコンテンツを印刷するために必要な印刷料金を問い合わせるための料金情報要求を送信する。管理サーバ１０１は、料金情報要求に対応する印刷料金を計算し、その印刷料金示す料金情報を印刷装置２０１へ送信する。
【０１０８】
印刷装置２０１は、この料金情報を受信すると、その料金情報に基づいて、印刷料金の投入を促す画面７０１（図５）を操作部２０２に表示する。その後、料金徴収機２０７に必要な金額以上のお金が投入された場合に、ステップＳ１４０３に移行する。
【０１０９】
ステップＳ１４０３で、個人認証のために、ユーザが所有するＩＤカードのＩＣカードリーダ２０６への挿入を促す画面８０１（図６）を操作部２０２に表示する。ＩＣカードリーダ２０６にＩＤカードが入力された場合、ＩＤカード内の情報から個人ＩＤを読み取り、ステップＳ１４０４に移行する。
【０１１０】
ステップＳ１４０４で、読み取った個人ＩＤが、本システムで有効であるか無効であるかを管理サーバ１０１に問い合わせるために、その個人ＩＤ情報を管理サーバ１０１へ送信する。そして、管理サーバ１０１は、この個人ＩＤ情報に対する認証を実行し、その認証結果を印刷装置２０１へ送信する。印刷装置２０１は、受信した認証結果が有効である場合、ステップＳ１４０５に移行する。一方、無効である場合は、その旨を操作部２０２に表示する。
【０１１１】
ステップＳ１４０５で、ステップＳ１４０１で選択されたコンテンツの印刷データを管理サーバ１０１から取得するためのコンテンツ取得要求を管理サーバ１０１へ送信する。
【０１１２】
管理サーバ１０１は、コンテンツ取得要求を受信すると、それに対応するコンテンツの印刷データを生成するとともに、その印刷媒体の有効期限を生成し、これらの情報を先に受信している個人ＩＤと印刷対象のコンテンツの格納先アドレスと対応づけて管理テーブル４０１に記憶する。また、この時点では、そのコンテンツを印刷する印刷媒体の有効性の判定は実行されていないので、管理テーブル４０１の判定装置ＩＤ欄は空欄となっている。そのため、管理サーバ１０１が生成する印刷データには、判定装置３０１による判定が未判定であることを示す情報がＷａｔｅｒＭａｒｋ情報として埋め込まれる。更に、印刷媒体の媒体ＩＤも、印刷装置２０１での印刷完了後に受信することになるので、管理テーブル４０１の媒体ＩＤ欄も空欄となっている。
【０１１３】
その後、管理サーバ１０１は、生成したコンテンツの印刷データをその格納先アドレスとともに印刷装置２０１へ送信する。これにより、印刷装置２０１は、コンテンツ獲得要求に対応するコンテンツを管理サーバ１０１より取得する。
【０１１４】
ステップＳ１４０６で、ステップＳ１４０５で取得したコンテンツの印刷データをプリンタ部２０３で印刷し、ステップＳ１４０７に移行する。
【０１１５】
ここで、印刷装置２０１で印刷されたコンテンツの一例について、図１３を用いて説明する。
【０１１６】
図１３は本発明の実施形態２のコンテンツの一例を示す図である。
【０１１７】
特に、図１３の例は、住民票を印刷するためのコンテンツ選択ボタン６０１が選択された場合に、印刷される住民票の一例を示している。
【０１１８】
尚、図７と同一の構成内容については、同一の参照番号を付加し、その詳細については省略する。
【０１１９】
図１３において、１５０１は無線機能付きＩＣチップであり、この印刷媒体の媒体ＩＤを記憶している。
【０１２０】
ステップＳ１４０７で、ＩＣカードリーダ２０５でＩＣチップ１５０１から媒体ＩＤを読み取り、ステップＳ１４０８に移行する。
【０１２１】
ステップＳ１４０８で、ステップＳ１４０７で読み取った媒体ＩＤと、その媒体ＩＤに対応する印刷媒体に印刷されたコンテンツの格納先アドレスを管理サーバ１０１に送信する。
【０１２２】
管理サーバ１０１は、媒体ＩＤとコンテンツの格納先アドレスを受信すると、その格納先アドレスを有するレコードの媒体ＩＤ欄に、受信した媒体ＩＤを記憶する。これにより、印刷装置２０１で印刷された印刷媒体の媒体ＩＤを管理することができる。
【０１２３】
さて、図１３のような形態でコンテンツが印刷された印刷媒体の有効性の判定装置３０１による判定は、その印刷媒体上のＩＣチップから媒体ＩＤを判定装置３０１が読み取ることによって実行する。
【０１２４】
尚、実施形態２のように、媒体ＩＤは、印刷装置２０１から管理サーバ１０１へ送信する構成としているので、場合によっては、その送信タイミングが印刷媒体の判定タイミングより遅れる可能性がある。特に、この場合は、管理サーバ１０１では、まだ、媒体ＩＤが管理されていないことになるので、このような状態で、判定装置３０１から媒体ＩＤの判定要求を受信した場合には、その印刷媒体の有効性の判定は、無効と判定する。
【０１２５】
また、実施形態１では、判定装置３０１による判定済コンテンツに対し、再度の有効性の判定要求がある場合には、その有効性を無効であると判定する構成としているが、これに限定されるものではなく、用途や目的に応じて、その判定方法を変更しても良い。
【０１２６】
例えば、同一の判定装置による判定要求であれば、２回目以降の判定要求でも、その有効性を有効と判定し、逆に、他の判定装置による判定要求であれば、その有効性を無効と判定するようにしても良い。
【０１２７】
以上説明したように、実施形態２によれば、実施形態１で説明した効果に加えて、同一の判定装置３０１からの判定要求に対しては、その有効性を常に有効と判定し、他の判定装置からの判定要求に対しては、その有効性を常に無効と判定することで、より第３者が不正使用しにくい印刷物を生成し、管理とすることができる。
【０１２８】
また、印刷媒体の媒体ＩＤがＩＣチップに保存される形態を採用していので、実施形態１の形態に対し、より第３者が偽造しにくい印刷物を生成することができる。
【０１２９】
尚、より第３者に不正使用されないようにするために、印刷物を紛失した場合には、管理サーバ１０１の管理テーブル４０１から、その印刷物のユーザの個人ＩＤを有するレコードを検索して、そのレコードそのものを削除する構成とすることで、不正入手した印刷物を無効にする構成にしてもよい。
【０１３０】
また、上記実施形態１や２では、管理サーバ１０１が１台の構成について説明したが、コンテンツの発行元毎にサーバが存在してもよいし、ミラーサーバを立てて、ミラーサーバに問い合わせにいく構成にしてもよい。
【０１３１】
また、より第３者に不正使用されなくするために、ユーザが印刷媒体の有効期限や、その使用目的を印刷装置の操作部２０２で指定できる構成にしてもよい。
【０１３２】
以上、実施形態例を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【０１３３】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【０１３４】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１３５】
その場合、プログラムの機能を有していれば、オブジェクトコード、インタプリタにより実行されるプログラム、ＯＳに供給するスクリプトデータ等の形態であっても良い。
【０１３６】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１３７】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１３８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１３９】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【０１４０】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【０１４１】
【図１】本発明の実施形態１の印刷物管理システムの構成を示すブロック図である。
【図２】本発明の実施形態１の発行記憶部の構成を示す図である。
【図３】本発明の実施形態１の印刷装置が実行するコンテンツ印刷処理手順の一例を示すフローチャートである。
【図４】本発明の実施形態１のコンテンツ選択画面の一例を示す図である。
【図５】本発明の実施形態１の操作画面の一例を示す図である。
【図６】本発明の実施形態１の操作画面の一例を示す図である。
【図７】本発明の実施形態１のコンテンツの一例を示す図である。
【図８】本発明の実施形態１の判定装置が実行する判定処理手順の一例を示すフローチャートである。
【図９】本発明の実施形態１の判定コンテンツ選択画面の一例を示す図である。
【図１０】本発明の実施形態１の操作画面の一例を示す図である。
【図１１】本発明の実施形態１のコンテンツの一例を示す図である。
【図１２】本発明の実施形態２の印刷装置が実行するコンテンツ印刷処理手順の一例を示すフローチャートである。
【図１３】本発明の実施形態２のコンテンツの一例を示す図である。
【符号の説明】
【０１４２】
１０１  管理サーバ
１０２  認証部
１０３  個人ＩＤ記憶部
１０４  印刷内容生成部
１０５  印刷内容記憶部
１０６  発行記憶部
１０７  インターフェイス部
１０８  管理制御部
２０１  印刷装置
２０２  操作部
２０３  プリンタ部
２０４  インターフェイス部
２０５  リーダ部
２０６  ＩＣカードリーダ
２０７  料金徴収機
２０８  印刷装置制御部
３０１  判定装置
３０２  操作部
３０３  プリンタ部
３０４  インターフェイス部
３０５  リーダ部
３０６  判定装置制御部
【図１】
2005144803.tif 000003
【図２】
2005144803.tif 000004
【図３】
2005144803.tif 000005
【図４】
2005144803.tif 000006
【図５】
2005144803.tif 000007
【図６】
2005144803.tif 000008
【図７】
2005144803.tif 000009
【図８】
2005144803.tif 000010
【図９】
2005144803.tif 000011
【図１０】
2005144803.tif 000012
【図１１】
2005144803.tif 000013
【図１２】
2005144803.tif 000014
【図１３】
2005144803.tif 000015